(57)【要約】【課題】  その形態に適したコンパクトで振動減衰特性の良い防振構造を有する耳装着型の音情報伝達器を提供することを目的とする。【解決手段】  本発明にかかる耳装着型の音情報伝達器は、人の耳に装着され、人の耳部の軟骨に伝わる骨伝導音声を検出するマイクロホン９と、音波を出力するイヤホン３と、イヤホン３から出力された音波を外部に案内する音導管４を備えた耳装着型の音情報伝達器であって、当該イヤホン３と音導管４は、少なくともイヤホン３と音導管４を覆うハウジング１３に対して、粘弾性材質からなる板状の防振部材５，６によって取り付けられて一体化されたものである。【選択図】  図３
2005094110.tif 000002
【特許請求の範囲】
【請求項１】
人の耳に装着され、人の耳部の軟骨に伝わる骨伝導音声を検出するマイクロホンと、音波を出力するイヤホンと、当該イヤホンから出力された音波を外部に導く音導管を備えた耳装着型の音情報伝達器であって、
前記イヤホンと前記音導管を一体化した音声出力部材を構成し、当該音声出力部材は、少なくとも当該イヤホンと音導管を覆うハウジングに対し、粘弾性材質からなる第１の防振部材と第２の防振部材によって取り付けられている耳装着型の音情報伝達器。
【請求項２】
請求項１記載の耳装着型の音情報伝達器において、
当該第１の防振部材は、前記イヤホンにおいて、前記音声出力部材を前記ハウジングに対して取り付け、
前記第２の防振部材は、前記音導管において、前記音声出力部材を前記ハウジングに対して取り付けていることを特徴とする耳装着型の音情報伝達器。
【請求項３】
請求項１記載の耳装着型の音情報伝達器において、
当該第１の防振部材と当該第２の防振部材の間にイヤホンを設けたことを特徴とする耳装着型の音情報伝達器。
【請求項４】
前記防振部材は、粘弾性材質の板状部材から構成されることを特徴とする請求項１乃至３のいずれかに記載の耳装着型の音情報伝達器。
【請求項５】
前記板状の防振部材は、その主面が前記音導管の長手方向と略直角となるように前記音出力部材に取り付けられることを特徴とする請求項４記載の耳装着型の音情報伝達器。
【請求項６】
前記音導管は、金属製材料よりなることを特徴とする請求項１乃至５のいずれかに記載の耳装着型の音情報伝達器。
【請求項７】
前記音情報伝達器は、さらに、イヤホンに対して出力される電気信号を処理する信号処理回路基板と、当該信号処理回路基板から出力された電気信号を前記イヤホンに対して伝達する配線とを備え、
当該配線は、前記イヤホンの外周部近傍に設けられた端子から当該イヤホンの反対側の外周部近傍付近まで当該イヤホンと接触させないで当該イヤホンの振動方向と略直角方向に引き出して、前記信号処理回路基板の端子と接続したことを特徴とする請求項１乃至６のいずれかに記載の耳装着型の音情報伝達器。
【請求項８】
前記マイクロホン部は、前記骨伝導音声を検出するピックアップセンサと、当該ピックアップセンサを支持し鍔状部を有する支持足部を備え、
前記支持足部は、粘弾性材質の防振部材を介して、軟質プラスチック材質又はゴム系材質のマイクホルダに対して鍔状部が収納されることにより前記ハウジングに固定されたことを特徴とする請求項１乃至７のいずれかに記載の耳装着型の音情報伝達器。
【請求項９】
人の耳に装着され、人の耳部の軟骨に伝わる骨伝導音声を検出するマイクロホン部と、音波を出力するイヤホン部と、前記マイクロホン部より出力された信号及びイヤホン部に対して入力する信号を処理する信号処理回路基板と、少なくとも前記マイクロホン部、前記イヤホン部及び前記信号処理回路基板を覆うハウジングとを備えた耳装着型の音情報伝達器であって、
前記マイクロホン部は、前記骨伝導音声を検出するピックアップセンサと、当該ピックアップセンサを支持し鍔状部を有する支持足部を備え、
前記支持足部は、粘弾性材質の防振部材を介して、軟質プラスチック材質又はゴム系材質のマイクホルダに対して鍔状部が収納されることにより前記ハウジングに固定された耳装着型の音情報伝達器。
【請求項１０】
前記マイクロホン部と前記信号処理回路基板とを接続する配線とを有し、
当該配線は、前記防振部材と前記支持足部との間に挟まれるとともに、前記防振部材と前記支持足部を収納する箱体部内の内側壁との間に挟まれていることを特徴とする請求項９記載の耳装着型の音情報伝達器。
【発明の詳細な説明】
【技術分野】
【０００１】
本発明は、音声の骨伝導振動を利用する耳装着型の音情報伝達器に関し、特に、この耳装着型の音情報伝達器の防振構造に関するものである。
【背景技術】
【０００２】
近年、通話時に利用者の手を煩わせずに、マイクロホン部、イヤホン部を耳甲介腔部に簡易に装着する小型化された耳装着型の音情報伝達器が知られている。その一例が、特許文献１や特許文献２に開示されている。このような耳装着型の音情報伝達器は、信号処理回路の小型化と無線技術の進歩により、マイクロホン部とイヤホン部のみではなくて、必要周辺回路や電源等の信号処理部を取り込んで耳部に装着する装置として一体構造をなすことが可能になってきている。そこで、この形態に適したコンパクトで減衰性能の良い防振構造が望まれている。
【０００３】
従来の耳装着型の音情報伝達器は、マイクロホン部およびイヤホン部より入出力線が出されて、物理的に別体の信号処理部に接続される形態となっている。このような別体の信号処理部と無線通信するための無線モジュールや回路基板等の信号処理部を耳装着型の音情報伝達器に内蔵して一体構造とする場合、内部の空間が回路基板や電池によって埋まってしまう。この一体構造を有する耳装着型の音情報伝達器に従来の防振構造をそのまま適用すると、防振構造に必要なスペースが大きいために製品が大きくなってしまう。そのため、耳部に装着できなかったり、設置空間が狭いために防振構造が制限されて防振が十分でなく、通話品質が悪化したりする等の欠点が生ずる。そこで、一体構造での適切な防振構造が必要とされている。
【特許文献１】特許第３２４７９３５号公報
【特許文献２】特開２０００-２６１８７５号公報
【発明の開示】
【発明が解決しようとする課題】
【０００４】
このように、従来の耳装着型の音情報伝達器においては、信号処理部も一体構成とする場合に、この信号処理部が内部で空間的に大きな位置を占めるため、従来の大きなスペースが必要な防振構造を設けることができないという問題点があった。
【０００５】
本発明は、このような問題点を解決するためになされたもので、その形態に適したコンパクトで振動減衰特性の良い防振構造を有する耳装着型の音情報伝達器を提供することを目的とする。
【課題を解決するための手段】
【０００６】
本発明にかかる耳装着型の音情報伝達器は、人の耳に装着され、人の耳部の軟骨に伝わる骨伝導音声を検出するマイクロホンと、音波を出力するイヤホンと、当該イヤホンから出力された音波を外部に導く音導管を備えた耳装着型の音情報伝達器であって、前記イヤホンと前記音導管を一体化した音声出力部材を構成し、当該音声出力部材は、少なくとも当該イヤホンと音導管を覆うハウジングに対し、粘弾性材質からなる第１の防振部材と第２の防振部材によって取り付けられているものである。
まず、イヤホンに音導管を備えることにより一体化された音声出力部の質量が増え、イヤホンで発生する振動の振幅が低減し、さらに、第１及び第２の防振部材が音声出力部からハウジングに伝達する振動をその粘弾性により低減するので、コンパクトで振動減衰特性の良好な防振構造を実現することができる。
【０００７】
このような耳装着型の音情報伝達器において、当該第１の防振部材は、前記イヤホンにおいて、前記音声出力部材を前記ハウジングに対して取り付け、前記第２の防振部材は、前記音導管において、前記音声出力部材を前記ハウジングに対して取り付けている。さらに、当該第１の防振部材と当該第２の防振部材の間にイヤホンを設けることができる。これにより、イヤホンにて発生する振動をイヤホンの前面の音導管において、また、背面のイヤホン後部において振動を抑制することができる。
【０００８】
好適には、前記防振部材は、粘弾性材質の板状部材から構成される。前記板状の防振部材は、その主面が前記音導管の長手方向と略直角となるように前記音出力部材に取り付けられる。これにより、板状の防振部材が振動方向に粘弾性を有するので、この粘弾性によって振動を低減することが可能となる。
【０００９】
また、前記音導管は、金属製材料より構成することができる。これにより、音導管の質量を増すことができ、振動が伝わりやすい音導管において振動を低減することができる。
【００１０】
さらに、前記音情報伝達器は、イヤホンに対して出力される電気信号を処理する信号処理回路基板と、当該信号処理回路基板から出力された電気信号を前記イヤホンに対して伝達する配線とを備え、当該配線は、前記イヤホンの外周部近傍に設けられた端子から当該イヤホンの反対側の外周部近傍付近まで当該イヤホンと接触させないで当該イヤホンの振動方向と略直角方向に引き出して、前記信号処理回路基板の端子と接続している。これにより、イヤホンに電気信号を伝達する配線は、イヤホンの振動方向と略直角に引き出されているので、振動方向に振動しにくくなる。それゆえ、配線を伝播する振動を低減することができる。
【００１１】
さらにまた、前記マイクロホン部は、前記骨伝導音声を検出するピックアップセンサと、当該ピックアップセンサを支持し鍔状部を有する支持足部を備え、前記支持足部は、粘弾性材質の防振部材を介して、軟質プラスチック材質又はゴム系材質のマイクホルダに対して鍔状部が収納されることにより前記ハウジングに固定されている。これにより、ハウジングにおける振動が支持足部に伝わるのを低減することができ、振動がピックアップセンサに伝わるのを防ぐことができる。
【００１２】
他方、本発明にかかる耳装着型の音情報伝達器は、人の耳に装着され、人の耳部の軟骨に伝わる骨伝導音声を検出するマイクロホン部と、音波を出力するイヤホン部と、前記マイクロホン部より出力された信号及びイヤホン部に対して入力する信号を処理する信号処理回路基板と、少なくとも前記マイクロホン部、前記イヤホン部及び前記信号処理回路基板を覆うハウジングとを備えた耳装着型の音情報伝達器であって、前記マイクロホン部は、前記骨伝導音声を検出するピックアップセンサと、当該ピックアップセンサを支持し鍔状部を有する支持足部を備え、前記支持足部は、粘弾性材質の防振部材を介して、軟質プラスチック材質又はゴム系材質のマイクホルダに対して鍔状部が収納されることにより前記ハウジングに固定されたものである。このような構成により、ハウジングにおける振動が支持足部に伝わるのを低減することができ、振動がピックアップセンサに伝わるのを防ぐことができる。
【００１３】
さらに、前記マイクロホン部と前記信号処理回路基板とを接続する配線とを有し、当該配線は、前記防振部材と前記支持足部との間に挟まれるとともに、前記防振部材と前記支持足部を収納する箱体部内の内側壁との間に挟まれている。これにより、マイクロホンに接続された配線を伝播する振動を低減して、振動がピックアップセンサに伝わるのを防ぐことができる。
【発明の効果】
【００１４】
本発明によれば、その形態に適したコンパクトで振動減衰特性の良い防振構造を有する耳装着型の音情報伝達器を提供することができる。
【発明を実施するための最良の形態】
【００１５】
まず、図１を用いて、本発明にかかる耳装着型の音情報伝達器について概略的に説明する。図１は、本発明にかかる耳装着型の音情報伝達器の外観を示す図である。また、この耳装着型の音情報伝達器の装着状態を示す図２を適宜参照しながら説明する。
【００１６】
図１において、Ａは信号処理回路基板収納部、Ｂはイヤホン部、Ｃはマイクロホン部である。信号処理回路基板収納部Ａは、信号処理回路基板と電池を収納している部分である。この信号処理回路基板収納部Ａは、後述するように、骨伝導マイクよりの電気信号を増幅処理し電波として発信する回路と、外部より受ける電波を増幅処理してイヤホンに出力する回路や、電源である電池、操作ボタン、充電端子などを有している。イヤホン部Ｂは、音情報の電気信号を音波として出力する部分である。マイクロホン部Ｃは、いわゆる骨伝導マイクを収納する部分であり、この骨伝導マイクは、頭部の骨や軟骨、肉体等を伝わってきた音声振動を拾い電気信号に変換する。
【００１７】
図１に示すように、耳装着型の音情報伝達器において、信号処理回路基板収納部Ａの腹側には、主に、イヤホン部Ｂとマイクロホン部Ｃが突き出ている。これらイヤホン部Ｂとマイクロホン部Ｃとはともに、図２に示すように、耳甲介腔部に挿入される部分である。あわせて、イヤホン部Ｂ、マイクロホン部Ｃの両部分は、機器全体を耳部に引っ掛けて保持するような形状を有している。また、信号処理回路基板収納部Ａは、イヤホン部Ｂとマイクロホン部Ｃとが耳甲介腔部に挿入された状態で、耳の外側部に位置している。このような耳装着型の音情報伝達器は、耳甲介腔部に挿入された状態で、イヤホン部Ｂの先端の穴より音波を放出し、マイクロホン部Ｃの先端部分が耳甲介腔の下部に当てられて音声振動を拾う構造を有している。
【００１８】
次に、本発明にかかる耳装着型の音情報伝達器について詳細に説明する。以下においては、主として、耳装着型の音情報伝達器における防振構造について具体的に説明する。本発明にかかる耳装着型の音情報伝達器における防振構造は、イヤホン部Ｂにおける防振構造、マイクロホン部Ｃにおける防振構造、これら各部Ｂ，Ｃの配線における防振構造から構成されている。以下において、これら防振構造について順に説明する。またここでは、本発明にかかる耳装着型の音情報伝達器は、これら全ての防振構造を備えているが、これに限らず、各防振構造のみを単体で設けたり、各防振構造を組み合わせて設けたりしてもよい。
【００１９】
図３の断面図に、本発明にかかる耳装着型の音情報伝達器の内部構成が示されている。この図３は、この耳装着型の音情報伝達器を縦に中央部で切断した断面図である。図３において、１は信号処理回路基板、２は出力線、３はイヤホン、４は音導管、５は後部ゲル板、６は先端部ゲル板、７はゲル受け、８は振動ピックアップセンサ、９はマイクロホン、１０はマイクゲル上、１１はマイクゲル下、１２はマイクホルダ、１３はハウジング、１４は入力線である。また、１５は信号処理回路基板収納部Ａに収納された電池、１６は信号処理回路基板収納部Ａの上方側面に設けられた操作ボタン、１７は信号処理回路基板収納部Ａの底部に設けられた充電端子である。
【００２０】
まず、図３を用いて、イヤホン３による音声出力、振動の発生について具体的に説明した後、このようなイヤホン３による振動を低減する最初の防振構造について説明する。
図３において、信号処理回路基板１は、外部より受けた電波を処理し、受信音声電気信号として出力線２を通してイヤホン３に伝達する。イヤホン３は、伝達された電気信号を音波に変換して、イヤホン３の前面を覆うロート状の音導管４の内部に放出する。この放出された音波は、音導管４に案内されて音導管４の先端の穴より放出され、イヤホン部Ｂ先端のハウジングの穴を通って、外耳道口に向かって伝播してゆく。
【００２１】
音波が伝播するとき、音波を発振した力の反作用としてイヤホン３自身が振動し、この振動は、イヤホン３を支持している周囲部材に伝わり伝播しながら減衰していく。ここで積極的な防振、減衰手段を講じないと、その振動は、十分には減衰せず、マイクロホン部Ｃの振動ピックアップセンサ８に伝わる。すると、この振動ピックアップセンサ８は、その振動を、頭部を伝わってくる音声振動と同様に検出する。このとき、イヤホン３から伝わってきた振動が、声帯から頭部を介して伝わってきた音声振動より十分小さくない場合、通話において相手先に発信者自身の音声が大きなレベルで帰ってゆく。すなわち、いわゆるエコー現象が大きくなり、イヤホン３から伝播する振動によって、通話の外乱要素として通話品質が著しく悪くなる。
【００２２】
本発明にかかる耳装着型の音情報伝達器では、イヤホン３の振動の振幅を低減するために、まずイヤホン３と接着結合で一体とする音導管４を比重の大きい材質、たとえば黄銅等で構成し、イヤホン３と剛体として一体の部分の質量を十分大きくする。イヤホン３は、その大きさゆえ、小さな耳の場合には、マイクロホン部Ｃとともには耳甲介腔部に配置しにくいために、外耳道口より遠い外側部に配置される。そこで、イヤホン３が発生する音波を脇に漏らすことなく外耳道口の近くまで導くことが、音導管４の本来の目的である。音導管４は、プラスチックなどの材質であっても、その本来の目的を果すことができるところを、材質を比重の大きなものに変更するだけで、振幅低減の役目も担うことになる。したがって、特に新たなスペース、構造物を必要とすることなく、イヤホン３の振動の振幅を低減することができる。
【００２３】
イヤホン３の振動の振幅を低減するために、次に、後部ゲル板５と先端部ゲル板６とによって、イヤホン３と音導管４の一体部材がイヤホン部Ｂのハウジングに支持されている。この一体部材をなすイヤホン３と音導管４の一構成例が、図４の斜視図に示されている。なお、図４においては、イヤホン３の出力線２は上方から引き出されているが、イヤホン３、音導管４は上下逆の状態で耳装着型の音情報伝達器内に収納され、図３に示すように、下方から出力線２が引き出される。
後部ゲル板５、先端部ゲル板６は、イヤホン３、音導管４の振動方向とは略直角方向に平面を有する板状の粘弾性材質よりなる支持部材である。後部ゲル板５は、その中央部の穴をイヤホン３の後部に結合されているゲル受け７のリング状の溝と嵌合している。先端部ゲル板６もまた、その中央部の穴を音導管４の先端部の外周に設けられたリング状の溝と嵌合している。
【００２４】
後部ゲル板５、先端部ゲル板６による支持は、先端部ゲル板６は、筒状の音導管４の長手方向（音の伝播方向）に薄い板状形状を有するので、イヤホン３の振動方向（音波の伝播方向）に対しては柔軟であり、これと比べて、振動方向に略直角な方向には相対的に剛性が高い。このような支持は、本機器の使用姿勢でのイヤホン３と音導管４の重量を支えることと、振動の伝達を断つカットオフ周波数を下げることに適した構造となっている。また、後部ゲル板５、先端部ゲル板６を粘弾性材質にすることにより、イヤホン３から伝達される振動のエネルギーを大きく減衰する効果も持っている。
【００２５】
イヤホン３の反力による振動は、後部ゲル板５、先端部ゲル板６を用いた上記構造によって防振され大きく減衰はするものの、頭部を伝わってきてマイクロホン９が拾える音声振動は微弱であるため、時として、これだけでは十分満足する防振効果は得られない。また、機器操作時に発生する操作振動や、本体が指や耳周辺の皮膚に擦れて発生する摺動振動がマイクロホン９に伝わる量を減衰することはできない。
【００２６】
そこで、更に、イヤホン３からマイクロホン９に至る経路において振動の遮断、減衰手段を採る必要がある。
続いて、図３を用いて、このようなマイクロホン９に至る経路における振動の遮断、減衰手段について説明する。図３において、振動ピックアップセンサ８を収納保持したマイクロホン９は、その保持足部９ａが粘弾性材のマイクゲル上１０とマイクゲル下１１で挟まれた構造を有している。このマイクロホン９は、マイクホルダ１２に支持され、このマイクホルダ１２は、保持足部９ａ、マイクゲル上１０、マイクゲル下１１が収納保持する箱体部１２ａを有している。また、マイクホルダ１２は、箱体部１２ａの周囲に広がる鍔状部１２ｂの外周でハウジング１３に保持されている。この鍔状部１２ｂは、その中央部において断面が波打った形状をなしている。
【００２７】
マイクホルダ１２は、減衰特性の比較的良いエラストマ材により構成され、その構造と材質でイヤホン部Ｂより伝わってくる振動、および操作振動などを減衰する効果を有する。マイクゲル上１０、マイクゲル下１１は、その弾性を持った特性でマイクロホン９を振動しやすいように保持している。それとともに、マイクゲル上１０、マイクゲル下１１は、その高減衰特性によって、特定周波数で共振しにくいようにしており、その上、ハウジング１３からマイクホルダ１２へと伝わってくる振動を遮断、減衰する役目もなしている。
【００２８】
マイクロホン部Ｃは、音声振動を拾うために、マイクロホン９を適当な圧力で耳甲介腔の下部に押圧しなければならないため、その柔構造はイヤホン３を支持する場合ほど大きくすることができない。このために、振動遮断、減衰効果は、イヤホン３側に比して小さいので、本発明にかかる耳装着型の音情報伝達器においては、特にイヤホン部Ｂの構造がより重要である。上記説明したように、三段構えともいえる構造（音導管４の材質、マイクゲル上１０とマイクゲル下１１による防振）により、イヤホン３から伝わってくる振動や操作による振動などを遮断、減衰する構造を採って、その効果を十分なものにしている。
【００２９】
上記のように、粘弾性材質を活用した防振、振動減衰構造を説明してきたが、まだ無視することができない振動の伝播経路がある。それは、イヤホン３からイヤホン３の出力線２、この出力線２が接続されている信号処理回路基板１、さらにこの信号処理回路基板１に接続されているマイクロホン９の入力線１４、そしてマイクロホン９へと連結した経路での振動の伝播である。
【００３０】
この振動の伝播を少なくする手段としては、限りなく細く、長く、剛性の低い線材を使用することが既知の手段ではある。しかし、細さは強度上、半田付け作業性上限度があり、この実施例の場合φ０.１ｍｍ程度のエナメル線がその限度である。また、マイクロホンからの入力信号は電磁波ノイズを拾いやすい回路特性のため、できるだけ入力線の長さを短くすることなどが要求されるので、振動を遮断し伝えにくい配線構造の工夫が望まれる。
【００３１】
このような配線構造について、図３を用いて具体的に説明する。
イヤホン３側の配線は、外部電磁波に強い回路特性を有するので、長くすることができる点を生かしている。図３に示すように、イヤホン３の端子に接続された出力線２は、イヤホン３の外周端部より、反対側の端部付近までイヤホン３の振動方向とは略直角方向に引き出されて、信号処理回路基板１に接続されている。このような構造においては、イヤホン３の振動方向に対する出力線２の剛性は低くなり、伝播する振動エネルギーも小さくなり、結果としてマイクロホン９に伝わる振動も小さくすることができる。
【００３２】
他方、マイクロホン９側は、入力線１４の線も短くし、且つ撚り線とすることが、ノイズ低減の面から必要であるので、上記のようなイヤホン３に用いた出力線２を長くする方法は、この場合には好ましくない。本発明にかかる耳装着型の音情報伝達器では、マイクロホン９の入力線１４は、まずマイクロホン９の保持足部９ａとこれを支持するマイクゲル上１０との間に挟む形で配線し、次にマイクゲル下１１とマイクホルダ１２の箱体部１２ａの壁との間に挟む形で引き出して、信号処理回路基板１へと配線している。このようにすることにより、各配線を挟む部材の振動強度レベルと同じように順次その振動を減衰させ、何にも挟むことなく配線した場合にイヤホン３からの振動がマイクロホン９に直接伝達されるのに比べ、大きく伝播する振動を減衰することができる。
【００３３】
このように、本発明にかかる耳装着型の音情報伝達器では、第一に、振動源であるイヤホン３の支持をその振動方向に対しては柔軟に、また、振動方向の略直角方向に対しては相対的に高い剛性を持つ構造とし、且つ、その支持体を粘弾性材料にて構成する。具体的には、イヤホン３、これと一体に接合された音導管４は、その外周近傍において、板状の後部ゲル板５、先端部ゲル板６によって支持され、これら板状の後部ゲル板５、先端部ゲル板６は、その主面が音導管４の長手方向（音波の伝播方向）に対して略直角な状態で固定されている。これによって、防振構造を設けるのに必要なスペースをとることなく、イヤホン３からの振動が伝わるのを低減することができる。さらには、振動幅そのものを小さくするために、イヤホン３の材質を変更して質量を増すことにより、本来機能上必要な部材で兼用し、余分なスペースを取らずに効果の高い防振構造を実現することができる。
【００３４】
第二に、本発明にかかる耳装着型の音情報伝達器では、イヤホン３からマイクロホン９に至る経路の複数の構造体に防振効果を持たせる構造を採用している。具体的には、マイクロホン９は、その保持足部９ａにおいて、粘弾性材のマイクゲル上１０とマイクゲル下１１によって挟まれている。これにより、イヤホン３からハウジング１３を介してマイクロホン９に伝わる振動を遮断、減衰させることができる。また、マイクロホン９を挟むマイクゲル上１０とマイクゲル下１１に防音効果を持たせるだけであるから、製品全体の大きさ、外観処理にも悪影響を与えぬようにして、防振構造の実現を経済的にもデザイン的にも容易にすることができる。
【００３５】
第三に、本発明にかかる耳装着型の音情報伝達器では、信号処理回路基板１からのイヤホンへ３の出力線２、同じく、マイクロホン９からの入力線１４を伝わって振動が伝播する量を低減する。具体的には、イヤホン３の出力線２は、イヤホン３の外周端部から反対側の端部付近まで、イヤホン３の振動方向とは略直角方向に引き出されている。これにより、イヤホン３の振動が出力線２に伝わるのを防ぐことができる。それとともに、マイクロホン９の入力線１４は、マイクロホン９の保持足部９ａとマイクゲル上１０との間に、マイクホルダ１２の箱体部１２ａとマイクゲル下１１との間に挟まれながら引き出されている。これにより、入力線１４に伝わる振動は、マイクゲル上１０、マイクゲル下１１によって遮断、減衰させることができる。したがって、特に振動遮断のための追加部材を設けることなく、振動を伝えにくい配線形態と、振動の遮断が容易な配線経路の工夫により、効果の高い防振構造を実現することができる。
【００３６】
以上、説明してきたように、本発明にかかる耳装着型の音情報伝達器によれば、その形態に適した、イヤホン３が発生する振動を防振専用の部材を追加することなく遮断し、減衰させることができるコンパクトな性能の良い防振、振動減衰構造を実現することができる。また、防振構造を複数段階で構成することにより、より効果を高めることができ、イヤホン３から発生する振動がマイクロホン９に伝わる量を大幅に減衰することができ、いわゆるエコー等の外乱を改善し、外乱の少ない明瞭な通話状態を実現可能な耳装着型の音情報伝達器を提供することができる。
【図面の簡単な説明】
【００３７】
【図１】本発明にかかる耳装着型音情報伝達器の外観を示す斜視図である。
【図２】本発明にかかる耳装着型音情報伝達器の装着状態を示す図である。
【図３】本発明にかかる耳装着型音情報伝達器の中央部を示す縦断面図である。
【図４】本発明にかかる耳装着型音情報伝達器のイヤホン部内部の斜視図である。
【符号の説明】
【００３８】
Ａ  信号処理回路基板収納部、Ｂ  イヤホン部、Ｃ  マイクロホン部
１  信号処理回路基板、２  出力線、３  イヤホン、４  音導管、５  後部ゲル板、６  先端部ゲル板、７  ゲル受け、８  振動ピックアップセンサ、９  マイクロホン、９ａ  保持足部、１０  マイクゲル上、１１  マイクゲル下、１２  マイクホルダ、１２ａ  箱体部、１２ｂ  鍔状部、１３  ハウジング、１４  入力線、１５  電池、１６  操作ボタン、１７  充電端子
【図１】
2005094110.tif 000003
【図２】
2005094110.tif 000004
【図３】
2005094110.tif 000005
【図４】
2005094110.tif 000006